(57)【要約】【課題】各設備の状態を示す状態情報が記載された表示領域を、系統図の表示要素を隠すことなく常時表示し、さらに表示領域と対応する設備との関係を明瞭に表示する。【解決手段】状態情報を包含する表示領域を生成し、生成した表示領域と当該表示領域に対応する設備を示す表示要素とを接続する接続線を生成する表示領域生成部３と、生成した表示領域の表示位置が、系統図を構成する表示要素の表示位置と重複するか否か判定を行う干渉判定部４と、表示領域の表示位置が表示要素の表示位置と重複すると判定された場合に、系統図にあらかじめ設定された可動範囲内で重複すると判定された表示領域の表示位置を調整する表示領域位置調整部５と、表示領域の表示位置が表示要素の表示位置と重複すると判定された場合に、系統図にあらかじめ設定された可動範囲内で重複すると判定された表示要素の表示位置を調整する系統図位置調整部６とを備える。【選択図】図１
2014121170.tif 000002
【特許請求の範囲】
【請求項１】
監視領域内に複数配置された設備間の接続状態を示した系統図を生成する系統表示処理部と、前記系統表示処理部が生成した系統図を表示する表示部とを備えた表示装置において、
前記設備の状態を示す状態情報を取得し、取得した前記状態情報を包含する表示領域を生成し、生成した前記表示領域と、前記表示領域に対応する設備を示す表示要素とを接続する接続線を生成する表示領域生成部と、
前記表示領域生成部が生成した前記表示領域の表示位置が、前記系統図を構成する表示要素の表示位置と重複するか否か判定を行う干渉判定部と、
前記干渉判定部において前記表示領域の表示位置が前記表示要素の表示位置と重複すると判定された場合に、前記系統図にあらかじめ設定された可動範囲内で前記重複すると判定された前記表示領域の表示位置を調整する表示領域位置調整部と、
前記干渉判定部において前記表示領域の表示位置が前記表示要素の表示位置と重複すると判定された場合に、前記系統図にあらかじめ設定された可動範囲内で前記重複すると判定された前記表示要素の表示位置を調整する系統図位置調整部とを備え、
前記系統表示処理部は、前記表示領域生成部が生成した前記表示領域および前記接続線の表示、前記表示領域調整部が調整した前記表示領域の表示位置、および前記系統図位置調整部が調整した前記表示要素の表示位置を、生成した前記系統図に適用することを特徴とする表示装置。
【請求項２】
前記干渉判定部は、前記表示領域位置調整部が調整した前記表示領域の表示位置が、前記系統図を構成する前記表示要素の表示位置と重複するか否か、または前記表示領域位置調整部が調整した前記表示領域の表示位置が、前記系統図位置調整部が調整した前記表示要素の表示位置と重複するか否か判定を行い、
前記系統表示処理部は、前記干渉判定部において前記表示領域の表示位置が前記表示要素の表示位置と重複しないと判定された場合に、当該表示領域の表示位置、および当該表示要素の表示位置を、生成した系統図に適用することを特徴とする請求項１記載の表示装置。
【請求項３】
前記表示領域生成部は、前記状態情報の表示位置を示す位置情報を参照し、同一の設備に対する状態情報であって隣接する状態情報をグループ化し、当該グループ化した状態情報を全て包含する前記表示領域を生成することを特徴とする請求項１または請求項２記載の表示装置。
【請求項４】
前記干渉判定部において前記表示領域の表示位置が前記表示要素の表示位置と重複すると判定された場合に、前記重複すると判定された前記表示領域が接続される前記表示要素と、前記系統図において系統の横方向に並列する表示要素を検出する並列設備検出部を備え、
前記系統図位置調整部は、前記重複すると判定された前記表示要素の表示位置の調整に合わせて、前記並列設備検出部が検出した前記系統の横方向に並列する前記表示要素の表示位置を調整することを特徴とする請求項１から請求項３のうちのいずれか１項記載の表示装置。
【請求項５】
前記系統図位置調整部が調整した前記系統の横方向に並列する前記表示要素のうち、前記表示領域が接続される表示要素を検出し、前記系統図位置調整部の表示要素の表示位置の調整に応じて前記表示要素と前記表示領域とを接続する接続線の表示位置を調整する接続線位置調整部を備え、
前記系統表示処理部は、前記接続線位置調整部が調整した接続線の表示位置を、生成した前記系統図に適用することを特徴とする請求項４記載の表示装置。
【請求項６】
前記干渉判定部は、前記表示領域調整部が調整した前記表示領域の表示位置が、前記系統図位置調整部が調整した前記表示要素の表示位置と重複すると判定した場合に、前記表示領域の表示位置と前記表示要素の表示位置との重複を、前記系統表示処理部を介してユーザに通知し、
前記系統表示処理部は、前記通知に対して入力されたユーザ操作を前記系統図に適用することを特徴とする請求項２から請求項５記載の表示装置。
【請求項７】
前記表示領域位置調整部は、前記通知に対して入力されたユーザ操作に基づいて前記表示領域および前記接続線の表示位置を調整し、
前記系統表示処理部は、前記表示領域位置調整部が調整した前記表示領域および前記接続線の表示位置を前記系統図に適用することを特徴とする請求項６記載の表示装置。
【請求項８】
前記系統図位置調整部は、前記通知に対して入力されたユーザ操作に基づいて前記表示要素の表示位置を調整し、
前記系統表示処理部は、前記系統図位置調整部が調整した前記表示要素の表示位置を前記系統図に適用することを特徴とする請求項６記載の表示装置。
【請求項９】
監視領域内に複数配置された設備間の接続状態を示した系統図を画面上に表示する表示方法において、
表示領域生成部が、前記設備の状態を示す状態情報を取得し、取得した前記状態情報を包含する表示領域を生成し、生成した前記表示領域と、前記表示領域に対応する設備を示す表示要素とを接続する接続線を生成するステップと、
干渉判定部が、前記表示領域の表示位置が、前記系統図を構成する表示要素の表示位置と重複するか否か判定を行うステップと、
表示領域位置調整部が、前記表示領域の表示位置が前記表示要素の表示位置と重複すると判定された場合に、前記系統図にあらかじめ設定された可動範囲内で前記重複すると判定された前記表示領域の表示位置を調整するステップと、
系統図位置調整部が、前記表示領域の表示位置が前記表示要素の表示位置と重複すると判定された場合に、前記系統図にあらかじめ設定された可動範囲内で前記重複すると判定された前記表示要素の表示位置を調整するステップと、
系統表示処理部が、前記表示領域生成部が生成した前記表示領域および前記接続線の表示、前記表示領域調整部が調整した前記表示領域の表示位置、および前記系統図位置調整部が調整した前記表示要素の表示位置を、前記系統図に適用するステップとを備えたことを特徴とする表示方法。
【発明の詳細な説明】
【技術分野】
【０００１】
この発明は、監視制御システムなどにおいて系統図に示された設備の状態を示す文字情報を提示する表示装置および表示方法に関するものである。
【背景技術】
【０００２】
例えば、電力系統監視制御システムでは、表示装置に電力の流れ（系統）を模式的に示した電力系統図が表示され、操作者は当該表示装置の表示内容を視認して送電状態や設備状態を監視し、各設備の操作を行う。そのため、電力系統図上には設備状態を監視するために計測された各設備の監視値が表示されるが、各設備の設備名称などの文字情報も表示されるため、当該文字情報や監視値などの表示が密集し、設備名称と監視値とを取り違えや、隣接する設備の監視値とを取り違えが発生する恐れがある。こうした取り違えを避けることを目的に、監視値を吹き出し形状の領域内に示し、観測された値の測定位置を明示する手法がある。
【０００３】
さらに特許文献１には、情報表示領域を広く確保するために、電力系統図において管轄範囲と非管轄範囲を分けて配置し、非管轄範囲の領域を監視画面の端に配置して電力系統図を魚眼映像の態様に調整し、管轄領域の配線同士の間隔を広げて情報表示領域を確保するグラフィックユーザインタフェースが開示されている。
また特許文献２には、大型表示装置上に表示された系統図上に設備状況を示す詳細情報を吹き出し状に重ねて表示し、当該吹き出し状の表示を時間経過に伴って透過度を高めて最終的に表示を消す制御システムが開示されている。
さらに特許文献３には、地図表示において視認性を向上させるために、施設アイコンなどの表示要素同士が互いに重ならないように表示縮尺を変更する地図表示装置が開示されている。
【先行技術文献】
【特許文献】
【０００４】
【特許文献１】特開２０００−２８７３８７号公報
【特許文献２】特開２０１０−２７３４５７号公報
【特許文献３】特開２０１１−１６９６２１号公報
【発明の概要】
【発明が解決しようとする課題】
【０００５】
しかしながら、上述した特許文献１に開示された例では、監視値が記載された吹き出し形状の表示領域が系統線上に重ねて表示されるため、設備間の結線状態が部分的に隠れてしまい、操作者が系統状態を把握しにくいという課題があった。
また、上述した特許文献２に開示された例では、系統図の表示要素に重ねて表示された詳細情報が徐々に消去されることにより系統線が隠される不具合を軽減することはできるが、詳細情報を常に表示することができず、常時監視値を参照しながら監視を行う場合には適用することができないという課題があった。
また、上述した特許文献３に開示された例では、表示縮尺を変更することにより、監視制御システムとして監視すべき設備が適切に表示されない、もしくは重要な監視値を視認し易い大きさで表示することができないという課題があった。
【０００６】
この発明は、上記のような課題を解決するためになされたもので、各設備の状態を示す状態情報が記載された表示領域を、系統図に示された表示要素を隠すことなく常時表示し、さらに当該表示領域と対応する設備との関係を明瞭に表示することを目的とする。
【課題を解決するための手段】
【０００７】
この発明に係る表示装置は、設備の状態を示す状態情報を取得し、取得した状態情報を包含する表示領域を生成し、生成した表示領域と、表示領域に対応する設備を示す表示要素とを接続する接続線を生成する表示領域生成部と、表示領域生成部が生成した表示領域の表示位置が、系統図を構成する表示要素の表示位置と重複するか否か判定を行う干渉判定部と、干渉判定部において表示領域の表示位置が表示要素の表示位置と重複すると判定された場合に、系統図にあらかじめ設定された可動範囲内で重複すると判定された表示領域の表示位置を調整する表示領域位置調整部と、干渉判定部において表示領域の表示位置が表示要素の表示位置と重複すると判定された場合に、系統図にあらかじめ設定された可動範囲内で重複すると判定された表示要素の表示位置を調整する系統図位置調整部とを備え、系統表示処理部が、表示領域生成部が生成した表示領域および接続線の表示、表示領域調整部が調整した表示領域の表示位置、および系統図位置調整部が調整した表示要素の表示位置を系統図に適用するものである。
【発明の効果】
【０００８】
この発明によれば、各設備の状態情報が記載された表示領域を、系統図に示された表示要素に重ならないように表示することができる。また、各設備の状態情報が記載された表示領域と、系統図の表示要素とを容易に識別することができる。さらに、表示領域と対応する設備との関係を明瞭に表示することができる。
【図面の簡単な説明】
【０００９】
【図１】実施の形態１による表示装置の構成を示すブロック図である。
【図２】実施の形態１による表示装置の動作を示すフローチャートである。
【図３】実施の形態１による表示装置が抽出した監視値を電力系統図に表示した場合の一例を示す図である。
【図４】実施の形態１による表示装置が表示領域を電力系統図に表示した場合の一例を示す図である。
【図５】実施の形態１による表示装置の例外処理の動作を示すフローチャートである。
【図６】実施の形態２による表示装置の構成を示すブロック図である。
【図７】実施の形態２による表示装置の動作を示すフローチャートである。
【図８】実施の形態３による表示装置の構成を示すブロック図である。
【図９】実施の形態３による表示装置の動作を示すフローチャートである。
【発明を実施するための形態】
【００１０】
実施の形態１．
図１は、この発明の実施の形態１による表示装置の構成を示すブロック図である。以下では、本発明の表示装置を電力系統監視システムに用い、当該表示装置の画面上に電力系統図が表示される場合を例に説明を行うが、配管系統図が表示される監視システムなど他の分野の監視システム、あるいは制御システムにも当該表示装置を適用することが可能である。この点は他の実施の形態においても同様である。
実施の形態１の表示装置１０は、情報取得部１、系統表示処理部２、表示領域生成部３、干渉判定部４、表示領域位置調整部５、系統図位置調整部６および表示部７で構成されている。
【００１１】
情報取得部１は、電力系統監視システム側から入力される系統図情報、監視値情報（状態情報）および可動範囲情報などを取得する。系統図情報は、表示装置１０が画面表示すべき範囲の電力系統図の情報で構成され、例えば各設備の接続状態、各設備を示す設備シンボルの情報、各設備の名称、および系統線、設備シンボル、設備名称を配置するための位置座標などである。監視値情報は、電力系統図に含まれる設備であって、監視対象である設備の現在値を示す情報である。１つの設備に対して複数の監視値が設定される場合もある。さらに、監視値情報には、各監視値を電力系統図のどの位置に配置するかを示した位置座標が付されている。可動範囲情報は、後述する表示領域生成部３が生成する表示領域、電力系統図に表示される設備シンボルおよび系統線の表示位置を、表示画面の上下方向あるいは左右方向に調整可能な範囲を位置座標で示した情報である。これは、電力系統図内に存在する空白領域の位置座標を算出することにより求めることができる。
【００１２】
系統表示処理部２は、情報取得部１から入力される系統図情報に基づいて、画面表示すべき範囲の電力系統図を構成する。また、後述する干渉判定部４から入力される表示領域の表示指示に基づいて電力系統図に表示領域を表示する処理を行う。表示領域生成部３は、情報取得部１から入力される監視値情報から監視値および当該監視値の位置座標を取得する。取得した監視値の位置座標を参照して、隣接する監視値を同一の設備に対する監視値であるとみなしてグループ化する。単独の監視値およびグループ化された監視値群をそれぞれ包含する矩形形状を生成して当該矩形形状を表示領域とし、当該表示領域の位置座標を取得する。さらに、情報取得部１から入力される系統図情報に基づいて、各表示領域と対応する設備シンボルとを接続する接続線を生成する。
【００１３】
干渉判定部４は、系統表示処理部２から入力される電力系統図の座標情報と、表示領域生成部３から入力される表示領域の位置座標とを参照し、以下に示す条件（１）から条件（３）に基づいた判定を行う。
条件（１）：表示領域が、系統線または設備シンボルと重なる
条件（２）：表示領域が、設備名称と重なる
条件（３）：表示領域が他の表示領域と重なる
上述した条件（１）から条件（３）のうちの少なくとも１つの条件を満たす場合には、表示領域位置調整部５に表示領域の調整を指示する、または系統図位置調整部６に表示領域の調整を指示する。その際、表示領域位置調整部５および系統図位置調整部６には、電力系統図の座標情報および表示領域の位置座標を併せて出力する。
【００１４】
一方、上述した条件（１）から条件（３）のいずれも満たさない場合には、表示領域の位置座標の調整は不要であると判断して当該位置座標を表示領域の配置位置とし、系統表示処理部２に表示領域の表示指示を出力する。表示指示には、表示領域の調整後の位置座標が含まれるものとする。
さらに干渉判定部４は、表示領域位置調整部５または系統図位置調整部６において調整が行われた表示領域あるいは電力系統図に対しても、上述と同様の判定処理を繰り返し行う。
【００１５】
表示領域位置調整部５は、干渉判定部４から入力される表示領域の位置座標と、情報取得部１から入力される可動範囲情報に基づいて、当該可動範囲内で表示領域の位置座標を表示画面の上下方向または左右方向に調整する。なお、表示領域の位置座標の調整に伴って、包含する監視値および接続線が一体化して移動するものとする。系統図位置調整部６は、干渉判定部４から入力される電力系統図の座標情報と、情報取得部１から入力される可動範囲情報に基づいて、当該可動範囲内で電力系統図内の設備シンボルの配置位置を上下方向または設備シンボルと系統線の配置位置を左右方向に調整する。設備シンボルに対して設備名称が記載されている場合には、設備シンボルの調整に応じて設備名称も合わせて移動させる。表示部７は、ディスプレイなどで構成され、系統表示処理部２の表示処理に基づいて電力系統図をディスプレイ上に表示する。
【００１６】
次に、表示装置１０の動作について説明する。
図２は、この発明の実施の形態１による表示装置１０の動作を示すフローチャートである。
情報取得部１は、電力系統監視システム側から系統図情報、監視値情報および可動範囲情報を取得する（ステップＳＴ１）。系統表示処理部２はステップＳＴ１で取得された系統図情報に基づいて電力系統図を構成する（ステップＳＴ２）。表示領域生成部３は、ステップＳＴ１で取得された監視値情報から全ての監視値を抽出する（ステップＳＴ３）。
図３は、抽出された監視値を電力系統図に表示した場合の一例を示す図である。図３に示すように、例えば設備シンボル１０１に対しては、系統線１０２の左側に監視値１０３ａ，１０３ｂ，１０３ｃおよび系統線１０２の右側に監視値１０３ｄ，１０３ｅ，１０３ｆが配置される。
【００１７】
また、表示領域生成部３は、各監視値の位置座標を参照して隣接する監視値をグループ化し、単独の監視値およびグループ化した監視値群を包含する表示領域を生成する（ステップＳＴ４）。なお、監視値が隣接しているか否かの判断は、あらかじめ閾値を設定しておき、２つの監視値離間距離が閾値未満である場合には隣接していると判断するなど適宜構成可能である。さらに表示領域生成部３は、ステップＳＴ４で生成した表示領域と電力系統図上の対応する設備シンボルとを接続する接続線を生成する（ステップＳＴ５）。
【００１８】
図４は、表示領域を電力系統図に表示した場合の一例を示す図である。図４（ａ）は干渉判定部４の処理前の表示例を示し、図４（ｂ）は干渉判定部４の処理後の表示例を示している。
図４（ａ）に示すように、設備シンボル１０１に対して配置された監視値１０３ａ，１０３ｂ，１０３ｃは同一の表示領域１０４内に表示され、監視値１０３ｄ，１０３ｅ，１０３ｆは同一の表示領域１０５内に表示されている。また、表示領域１０６では１つの監視値を単独で示す場合を示している。
【００１９】
続いて、干渉判定部４は、系統表示処理部２から入力される電力系統図の座標情報と、ステップＳＴ４およびステップＳＴ５で生成された表示領域の位置座標とを比較し、表示領域が電力系統図の表示要素（例えば、系統線および設備名称など）と重なるか否か判定を行う（ステップＳＴ６；条件（１），（２），（３）の判定）。表示領域が電力系統図の表示要素と重ならないと判定された場合（ステップＳＴ６；ＮＯ）、ステップＳＴ１６の処理に進む。一方、表示領域が電力系統図の表示要素と重なると判定された場合（ステップＳＴ６；ＹＥＳ）、表示領域位置調整部５は表示領域の位置座標とステップＳＴ１で取得された可動範囲情報に基づいて、表示領域の位置座標を表示画面の上下方向（図４（ａ）における矢印Ａ方向）に調整し、調整後の表示領域の位置座標を干渉判定部４に出力する（ステップＳＴ７）。
【００２０】
干渉判定部４は、ステップＳＴ７で入力された調整後の表示領域の位置座標を用いて、再度表示領域が電力系統図の表示要素と重なるか否か判定を行う（ステップＳＴ８；条件（１），（２），（３）の判定）。表示領域が電力系統図の表示要素と重ならないと判定された場合（ステップＳＴ８；ＮＯ）、ステップＳＴ１６の処理に進む。一方、表示領域が電力系統図の表示要素と重なると判定された場合（ステップＳＴ８；ＹＥＳ）、表示領域位置調整部５は表示領域の位置座標とステップＳＴ１で取得された可動範囲情報に基づいて、表示領域の位置座標を表示画面の左右方向（図４（ａ）における矢印Ｂ方向）に調整し、調整後の表示領域の位置座標を干渉判定部４に出力する（ステップＳＴ９）。
【００２１】
干渉判定部４は、ステップＳＴ９で入力された調整後の表示領域の位置座標を用いて、再度表示領域が電力系統図の表示要素と重なるか否か判定を行う（ステップＳＴ１０；条件（１），（２），（３）の判定）。表示領域が電力系統図の表示要素と重ならないと判定された場合（ステップＳＴ１０；ＮＯ）、ステップＳＴ１６の処理に進む。一方、表示領域が電力系統図の表示要素と重なると判定された場合（ステップＳＴ１０；ＹＥＳ）、系統図位置調整部６は電力系統図の座標情報とステップＳＴ１で取得された可動範囲情報に基づいて、重なると判定された表示要素と当該表示要素に対応した設備シンボルの位置座標を表示画面の上下方向（図４（ａ）における矢印Ａ方向）に調整し、調整後の表示要素および設備シンボルの位置座標を干渉判定部４に出力する（ステップＳＴ１１）。
【００２２】
干渉判定部４は、ステップＳＴ１１で入力された調整後の表示要素および設備シンボルの位置座標を用いて、再度表示領域が電力系統図の表示要素と重なるか否か判定を行う（ステップＳＴ１２；条件（１），（２），（３）の判定）。表示領域が電力系統図の表示要素と重ならないと判定された場合（ステップＳＴ１２；ＮＯ）、ステップＳＴ１６の処理に進む。一方、表示領域が電力系統図の表示要素と重なると判定された場合（ステップＳＴ１２；ＹＥＳ）、系統図位置調整部６は電力系統図の座標情報とステップＳＴ１で取得された可動範囲情報に基づいて、重なると判定された表示要素と当該表示要素に対応した設備シンボルおよび系統線の位置座標を表示画面の左右方向（図４（ａ）における矢印Ｂ方向）に調整し、調整後の表示要素および設備シンボルの位置座標を干渉判定部４に出力する（ステップＳＴ１３）。
【００２３】
干渉判定部４は、ステップＳＴ１３で入力された調整後の表示領域の位置座標を用いて、再度表示領域が電力系統図の表示要素と重なるか否か判定を行う（ステップＳＴ１４；条件（１），（２），（３）の判定）。表示領域が電力系統図の表示要素と重ならないと判定された場合（ステップＳＴ１４；ＮＯ）、ステップＳＴ１６の処理に進む。一方、表示領域が電力系統図の表示要素と重なると判定された場合（ステップＳＴ１４；ＹＥＳ）、系統表示処理部２は当該判定結果に基づいて表示領域生成部３が生成した表示領域を非表示とする、または表示領域の背景色を薄い色調に調整するなどの例外処理を実行し（ステップＳＴ１５）、ステップＳＴ１７に進む。
【００２４】
ステップＳＴ６、ＳＴ８、ＳＴ１０、ＳＴ１２、ＳＴ１４において、表示領域が電力系統図の表示要素と重ならないと判定された場合には、系統表示処理部２は当該判定結果に基づいて、電力系統図の表示要素と重ならない位置座標に表示領域を表示し（ステップＳＴ１６）、電力系統図を更新する処理を実行して表示部７に当該電力系統図を表示する（ステップＳＴ１７）。その後、処理を終了する。
【００２５】
図４（ａ）に示した例では、フローチャートのステップＳＴ６、ＳＴ８、ＳＴ１０、ＳＴ１２、ＳＴ１４の判定処理において、表示領域１０６と表示領域１０７に対して電力系統図の表示要素との重なると判定される。表示領域１０６と表示領域１０７に対してステップＳＴ７、ＳＴ８、ＳＴ１０、ＳＴ１２の調整を実行することにより図４（ｂ）の表示例のように電力系統図の表示要素との重なりが解消された表示を行うことができる。
【００２６】
上述した図２のフローチャートのステップＳＴ１５の例外処理では、表示領域を非表示とする、または表示領域の背景色を薄い色調に調整する構成を示したが、以下のように構成することも可能である。その他の例外処理の流れを図５のフローチャートを参照しながら説明する。
ステップＳＴ１４において、表示領域が電力系統図の表示要素と重なるのを回避できないと判定した場合（ステップＳＴ１４；ＹＥＳ）、干渉判定部４は重なりを回避できていない旨を系統表示処理部２を介して表示部７に表示し、ユーザに通知する（ステップＳＴ１５１）。ステップＳＴ１５１としては、例えば、重なり回避できない電力系統図の表示要素と、当該表示要素の位置を図示により表示する。あるいは、重なりを回避できない設備名称と監視値を文字メッセージにより表示する。
【００２７】
その後、ステップＳＴ１５１の通知に対する処理は以下に示すように種々構成可能である。
まず、１つ目の処理方法として、ステップＳＴ１５１の通知後、電力系統図の調整および表示領域の調整を行わず、系統表示処理部２は重なりが生じた状態で表示領域を表示し（ステップＳＴ１５２）、上述したステップＳＴ１７の処理に移行する。これは、現在の表示状態をユーザに報知するのみであり、例えばユーザが重なりの程度を確認して許容できると判断した場合には、当該重なりが生じた状態で電力系統図を利用可能にするためである。
【００２８】
次に、２つ目の処理方法として、ステップＳＴ１５１の通知後、ユーザが操作入力部（不図示）を介して任意の系統線の線分（縦ないし横方向の線分）を上下方向あるいは左右方向に移動させる操作入力を行うと（ステップＳＴ１５３）、系統図位置調整部６はステップＳＴ１５３の操作入力に基づいて系統線の位置調整を行い、調整後の表示要素および設備シンボルの位置座標を干渉判定部４に出力する（ステップＳＴ１５４）。その後、フローはステップＳＴ１４の判定処理に戻り、上述した処理を繰り返す。
【００２９】
さらに、３番目の処理方法として、ステップＳＴ１５１の通知後、ユーザが操作入力部（不図示）を介して表示領域の表示位置および表示領域の接続線の表示位置を調整可能な編集モードに移行する（ステップＳＴ１５５）。当該編集モードにおいて、ユーザは手動で表示領域の表示位置を変更すると共に、設備シンボルと接続するための接続線を延ばすなどして、表示領域と電力系統図の表示要素との重なりを解消する（ステップＳＴ１５６）。表示領域位置調整部５は、ステップＳＴ１５６の操作入力に基づいて表示領域の位置調整を行い（ステップＳＴ１５７）、系統表示処理部２を介してステップＳＴ１５７で調整された表示領域を表示し（ステップＳＴ１５８）、上述したステップＳＴ１７に移行する。
【００３０】
このように、例外処理として、表示領域が電力系統図の表示領域と重なっている旨をユーザに通知し、ユーザの選択に基づいた表示処理を行うことにより、重なりの程度が許容可能か否かユーザに判断を仰ぐことができ、またユーザの操作に基づいて効率的に表示領域と電力系統図の表示要素との重なりを解消することができる。
【００３１】
以上のように、この実施の形態１によれば、監視値の位置座標を参照して、隣接する監視値をグループ化し、単独の監視値およびグループ化された監視値群をそれぞれ包含する矩形形状である表示領域を生成すると共に、当該表示領域と対応する設備シンボルとを接続する接続線を生成する表示領域生成部３を備えるように構成したので、設備シンボルとその監視値との関係を明示することができる。また、設備名称は表示領域内に表示しないため、操作者は設備名称を含む多くの文字情報から、推移を注視すべき監視値を容易に判別することができる。また、グループ化された監視値群により注視すべき表示領域数を抑制することができる。
【００３２】
また、この実施の形態１によれば、表示領域が系統線、設備シンボル、設備名称または表示領域のいずれかと重なるか否か判定する干渉判定部４と、いずれかと重なると判定された場合に表示領域の位置座標を調整する表示領域位置調整部５と、いずれかと重なると判定された場合に設備シンボル、系統線、および設備名称などの配置位置を調整する系統図位置調整部６とを備えるように構成したので、表示領域が電力系統図上の系統線や設備名称などの表示要素を隠すことがなく、操作者による系統状態の把握動作を阻害することがない。
【００３３】
また、この実施の形態１によれば、表示領域位置調整部５および系統図位置調整部６によって機械的に表示要素と電力系統図の表示領域との重なりを網羅的に確認したが、重なりを回避できない場合に、当該状態をユーザに報知し、ユーザの選択に基づいた表示処理を行うように構成したので、ユーザの意向に沿った表示処理を行うことができ、且つより効率的に表示領域と電力系統図の表示要素との重なりを解消することができる。
【００３４】
なお、上述した実施の形態１では、図４に示したように表示領域の背景を黒色で示し、監視値を白色で示す場合を例に示したが、表示領域内の監視値が視認し易いコントラストであれば表示領域および監視値の表示色は特に限定されない。
【００３５】
実施の形態２．
実施の形態２では、電力系統図上の設備シンボルを表示画面に対して上下方向に調整する場合に、当該設備シンボルと同一の電圧階級に位置する他の設備シンボルも同様に上下方向に移動させて高さを揃えて表示する構成を示す。
電力系統図では、一般的に表示画面の上方に高圧の設備が配置され、表示画面の下方に低圧の設備が配置される。従って、電力系統図において系統の横方向には同一の電力階級に位置する設備が並列に配置される。これにより操作者は、電力系統図が示す状態を容易に把握することができる。この効果的な表示ルールを維持すると共に、系統状態の表示を阻害することなく選択された設備シンボルと操作ウィンドウとの相互関係を明示する。
【００３６】
図６は、この発明の実施の形態２による表示装置１０の構成を示すブロック図である。
実施の形態２では、並列設備検出部８を追加して設けている。なお、以下では、実施の形態１による表示装置１０の構成要素と同一または相当する部分には実施の形態１で使用した符号と同一の符号を付して説明を省略または簡略化する。
干渉判定部４は、表示領域位置調整部５が表示領域の位置座標を上下方向および左右方向に調整する処理を行ったが、表示領域が電力系統図の表示要素（例えば、系統線、設備名称など）と重なる場合に、重なる表示要素および当該表示要素に対応した設備シンボルの位置座標と電力系統図の座標情報を並列設備検出部８に出力する。
【００３７】
並列設備検出部８は、調整対象の設備シンボルの位置座標に基づいて電力系統図の座標情報を検索して、当該調整対象の設備シンボルと系統の横方向に並列する、すなわち同一の電圧階級に位置する設備シンボルを検出する。調整対象の設備シンボルの位置座標と、検出した並列設備シンボルの位置座標と、電力系統図の座標情報を系統図位置調整部６に出力する。系統図位置調整部６は、情報並列設備検出部８から入力される情報に基づいて、重なると判定された表示要素、調整対象の設備シンボル、および並列設備シンボルの配置位置を、情報取得部１から入力される可動範囲内で上下方向に調整する。
【００３８】
次に、実施の形態２の表示装置１０の表示処理を図７のフローチャートを参照しながら説明する。また、以下では実施の形態１に係る表示装置１０と同一のステップには図２で使用した符号と同一の符号を付し、説明を省略または簡略化する。
ステップＳＴ１０において表示領域が電力系統図の表示要素と重なると判定された場合（ステップＳＴ１０；ＹＥＳ）、並列設備検出部８は電力系統図の表示要素と重なると判定された表示領域が接続される設備シンボルと系統の横方向に並列する設備シンボルを検出する（ステップＳＴ２１）。
【００３９】
系統図位置調整部６は、調整対象の設備シンボルの位置座標、ステップＳＴ２１で取得された並列する設備シンボルの位置座標、およびステップＳＴ１で取得された可動範囲情報に基づいて、重なると判定された表示要素、調整対象の設備シンボルおよび並列する設備シンボルの位置座標を表示画面の上下方向（図４（ａ）における矢印Ａ方向）に調整し、調整後の表示要素、調整対象の設備シンボルおよび並列設備シンボルの位置座標を干渉判定部４に出力する（ステップＳＴ２２）。その後、上述したステップＳＴ１２からステップＳＴ１７と同一の処理が行われる。
【００４０】
以上のように、この実施の形態２によれば、調整対象の設備シンボルと系統の横方向に並列する同一の電圧階級に位置する設備シンボルを検出する並列設備検出部８を備え、系統図位置調整部６が重なると判定された表示要素、調整対象の設備シンボル、および並列する設備シンボルの配置位置を上下方向に調整するように構成したので、電圧階級が同一の設備を系統の横方向の並列を維持したまま配置位置を調整することができ、電力系統図の把握し易さを保つことができる。これにより、操作者が電力系統図を把握する際の負担の増大を回避することができる。
【００４１】
実施の形態３．
上述した実施の形態２では、調整対象の設備シンボルと同一の電圧階級に位置する並列設備シンボルも同様に上下方向に移動させて高さを揃えて表示する構成を示したが、この実施の形態３では移動させた並列設備シンボルのうち表示領域が接続された設備シンボルにおいて、設備シンボルと表示領域とを結ぶ接続線の表示位置を調整する構成を示す。
図８は、この発明の実施の形態３による表示装置１０の構成を示すブロック図である。
実施の形態３では、図６で示した実施の形態２の表示装置１０に接続線位置調整部９を追加して設けている。なお、以下では、実施の形態２による表示装置１０の構成要素と同一または相当する部分には実施の形態２で使用した符号と同一の符号を付して説明を省略または簡略化する。
【００４２】
接続線位置調整部９は、系統図位置調整部６から入力される調整後の並列設備シンボルの位置座標と、干渉判定部４から入力される表示領域の位置座標とを参照し、並列設備シンボルに接続された表示領域であり、且つ調整前の並列設備シンボルの配置位置において既に電力系統図の表示要素と重なりが生じていなかった表示領域を検出する。さらに、検出した設備シンボルと表示領域とを接続する接続線の表示位置を調整する。調整後の接続線の表示位置は、干渉判定部４に出力される。
【００４３】
次に、実施の形態３の表示装置１０の表示処理を図９のフローチャートを参照しながら説明する。また、以下では実施の形態２に係る表示装置１０と同一のステップには図７で使用した符号と同一の符号を付し、説明を省略または簡略化する。
ステップＳＴ２２において表示要素、調整対象の設備シンボル、および並列設備シンボルが表示画面の上下方向に調整されると、接続線位置調整部９は系統図位置調整部６から入力される並列設備シンボルの情報と、干渉判定部４から入力される表示領域の位置座標とを参照し、並列設備シンボルに接続された表示領域であり、且つ調整前の並列設備シンボルの配置位置において電力系統図の表示要素と重なりが生じていなかった表示領域を検出する（ステップＳＴ３１）。接続線位置調整部９は、ステップＳＴ３１で検出した表示領域と対応する並列設備シンボルを接続する接続線の表示位置を調整し、調整結果を干渉判定部４に出力する（ステップＳＴ３２）。その後、上述したステップＳＴ１２からステップＳＴ１７と同一の処理が行われる。
【００４４】
以上のように、この実施の形態３によれば、系統図位置調整部６が配置位置を調整した並列設備シンボルに接続された表示領域であり、且つ調整前の並列設備シンボルの配置位置において電力系統図の表示要素と重なりが生じていなかった表示領域を検出し、検出した表示領域と対応する並列設備シンボルを接続する接続線の表示位置のみを調整をする接続線位置調整部９を備えるように構成したので、表示領域と接続線の表示位置を個別に調整することができ、表示位置の調整範囲を大きく確保することができる。
【００４５】
なお、本願発明はその発明の範囲内において、各実施の形態の自由な組み合わせ、あるいは各実施の形態の任意の構成要素の変形、もしくは各実施の形態において任意の構成要素の省略が可能である。
【符号の説明】
【００４６】
１  情報取得部、２  系統表示処理部、３  表示領域生成部、４  干渉判定部、５  表示領域位置調整部、６  系統図位置調整部、７  表示部、８  並列設備検出部、９  接続線位置調整部、１０  表示装置。
【図１】
2014121170.tif 000003
【図２】
2014121170.tif 000004
【図３】
2014121170.tif 000005
【図４】
2014121170.tif 000006
【図５】
2014121170.tif 000007
【図６】
2014121170.tif 000008
【図７】
2014121170.tif 000009
【図８】
2014121170.tif 000010
【図９】
2014121170.tif 000011